(57)【要約】
【課題】試料の大きさに著しい制限を設けず、試料面の任意の個所の測定が簡便にできるヘーズコンピュータを提供すること。
【解決手段】（ア）測定面を水平にして試料を載置する手段、（イ）光源からの光を反射鏡で反射させて試料の上方から下方へ透過させる手段、（ウ）試料を透過した光を入射させる入口開口を上部に有し、該入射させた光をライトトラップに通過させる出口開口を底部に有するとともに補償開口を横部に有する積分球、を有する。
【選択図】図１
0003100120.tif 000002
【実用新案登録請求の範囲】
【請求項１】
（ア）測定面を水平にして試料を載置する手段、
（イ）光源からの光を反射鏡で反射させて試料の上方から下方へ透過させる手段、
（ウ）試料を透過した光を入射させる入口開口を上部に有し、該入射させた光をライトトラップに通過させる出口開口を底部に有するとともに補償開口を横部に有する積分球、
を有することを特徴とするヘーズコンピュータ。
【考案の詳細な説明】
【技術分野】
【０００１】
　本考案は、ヘーズコンピュータに関する。
【背景技術】
【０００２】
　プラスチック、ガラス、果汁、薬液、化粧水等透明性材料のヘーズ値や、全光線透過率、平行光線透過率、拡散透過率の測定は、ヘーズコンピュータで測定される。
【０００３】
　従来のヘーズコンピュータには、光源からの光が２つの光路に分けられる方式がある。
【０００４】
【特許文献１】特許第３３４１２１２号公報（図１）
【０００５】
　しかし、上記非特許文献１記載のヘーズコンピュータにおいては、試料を立てて測定するため、試料の大きさに著しく制限があるという問題があった。
【０００６】
　出願人らは、係る問題を鑑み、装置の大きさを変えることなく、試料が大きくても、試料面の任意の個所の測定が簡便にできるヘーズコンピュータを開発した。
【考案の開示】
【考案が解決しようとする課題】
【０００７】
　本考案が解決しようとする問題点は、試料を立てて測定するため、試料の大きさに著しく制限があり、また、試料面の特定部分しか測定個所として選べない点である。
【０００８】
　本考案は、かかる問題を鑑みてなされたものであり、したがって、本考案の目的は、試料の大きさに著しい制限を設けず、試料面の任意の個所の測定が簡便にできるヘーズコンピュータを提供することにある。
【課題を解決するための手段】
【０００９】
　上記目的を達成するために、本考案のヘーズコンピュータは、（ア）測定面を水平にして試料を載置する手段、（イ）光源からの光を反射鏡で反射させて試料の上方から下方へ透過させる手段、（ウ）試料を透過した光を入射させる入口開口を上部に有し、該入射させた光をライトトラップに通過させる出口開口を底部に有するとともに補償開口を横部に有する積分球、を有することを特徴とするものである。
【考案の効果】
【００１０】
　本考案のヘーズコンピュータは、上述したとおりであるので、試料の大きさに著しい制限を設けず、試料面の任意の個所の測定が簡便にできる。
【考案を実施するための最良の形態】
【００１１】
　本考案の特長は（ア）測定面を水平にして試料を載置する手段、（イ）光源からの光を反射鏡で反射させて試料の上方から下方へ透過させる手段、（ウ）試料を透過した光を入射させる入口開口を上部に有し、該入射させた光をライトトラップに通過させる出口開口を底部に有するとともに補償開口を横部に有する積分球、を有すことにある。
【実施例１】
【００１２】
　図１は、本考案のヘーズコンピュータの実施例１の構成図である。図２は、本考案のヘーズコンピュータの実施例１の正面図である。図３は、本考案のヘーズコンピュータの実施例１の左側面図である。図１、図２及び図３に示した本考案の実施例１のヘーズコンピュータ（１５）は、試料（７）を水平に載置させて測定することができる試料載置台（６）を有する。
【００１３】
　本考案のヘーズコンピュータの実施例１においては、光源（１）からの光を第１光路と第２光路に自動で選択的に導くことができる。測定回路である第１光路側は、シャッター（２ａ）、ピンホール（３ａ）、コリメーターレンズ（４ａ）、反射鏡（５ａ）、試料載置台（６）、積分球（８）、白板（１３ａ）、ライトトラップ（１１）の順に光が導かれる。光源（１）からの光は、ピンホール（３ａ）で集光・通過させた後にコリメーターレンズ（４ａ）で平行光束にして、反射鏡（５ａ）で９０度反射させ、積分球（８）の入口開口（９）に導く。反射鏡（５ａ）で反射した光は、ライトトラップ（１１）まで、上から下へ導かれることになる。積分球（８）中では、第１光路における光は積分球（８）の上部に設けた入口開口（９）から入射して底部に設けた出口開口（１０）から出てライトトラップ（１１）に向かう。
【００１４】
　一方、補償回路である第２光路側は、シャッター（２ｂ）、ピンホール（３ｂ）、コリメーターレンズ（４ｂ）、反射鏡（５ｂ）、白板（１３ｂ）、積分球（８）の順に光が導かれる。白板（１３ａ、１３ｂ）は、半分が白くて穴がなく、半分は黒くて穴があいており、回動式である。白板（１３ａ）は、ライトトラップ（１１）に接続されている。
【００１５】
　まず、第１光路側のシャッター（２ａ）を開き、出口開口（１０）の真下に白くて穴がない部分が来るように白板（１３ａ）を回動させる。同時に第２光路側のシャッター（２ｂ）を閉じ、白板（１３ｂ）は、補償開口（１４）から光が外部に出るようにするために、回動させて、黒くて穴があいている部分を補償開口（１４）部分に合わせる。光源（１）からの光は、第１光路を進み、内部が白い壁で覆われた積分球（８）の中に設けられた受光器（１２）で受光される。
【００１６】
　つぎに、第１光路側のシャッター（２ａ）は閉じ、出口開口（１０）の真下に白くて穴がない部分が来るように白板（１３ａ）を回動させたままにする。同時に第２光路側のシャッター（２ｂ）を開き、白板（１３ｂ）は、補償開口（１４）に光を入射させるために、黒くて穴があいている部分を補償開口（１４）部分に合わせたままにしておく。光源（１）からの光は、第２光路を進み、内部が白い壁で覆われた積分球（８）の中に設けられた受光器（１２）で受光される。
【００１７】
　さらに、第１光路側のシャッター（２ａ）を再度開き、出口開口（１０）の真下に黒くて穴があいている部分が来るように白板（１３ａ）を回動させる。同時に第２光路側のシャッター（２ｂ）を閉じ、白板（１３ｂ）は、補償開口（１４）から出た光を反射するために、回動させて、白くて穴がない部分を補償開口（１４）部分に合わせる。光源（１）からの光は、第１光路を進み、積分球（８）の中に設けられた入口開口（９）から入って出口開口（１０）から出てライトトラップ（１１）で平行光が吸収され、受光器（１２）で拡散光が受光される。
【００１８】
　上記３つのステップは、連動して自動で行われる。始めに、試料載置台（６）に試料（７）を置かずに、上記３ステップを行って標準あわせをした後、試料載置台（６）に試料（７）を載置させて測定を行う。
【００１９】
　従来のヘーズコンピュータにおいては、中央のヘーズ値を測定するには、５０ｍｍ角の試料にする必要があった。測定個所を限定しても、測定可能な試料の大きさは、幅１８０ｍｍ以内、高さ９０ｍｍ以内に制限された。これに対し、本発明のヘーズコンピュータによれば、１２５ｍｍ角の試料ならば、中央のヘーズ値はもちろん、どこの部分のヘーズ値も測定可能で、試料中央のヘーズ値は１７０ｍｍ角の試料でも測定でき、測定個所を限定すれば、最大、幅１９５ｍｍ×奥行２２０ｍｍの試料でも測定できる。
【００２０】
　すなわち、本考案のヘーズコンピュータの実施例１によれば、試料の大きさに著しい制限を設けず、試料面の任意の個所の測定が簡便にできる。
【産業上の利用可能性】
【００２１】
　本考案のヘーズコンピュータの利用は、プラスチック、ガラス、果汁、薬液、化粧水等透明性材料の物理的性質の把握や、これらの材料の研究・開発に役立つ。
【図面の簡単な説明】
【００２２】
【図１】本考案のヘーズコンピュータの実施例１の構成図である。
【図２】本考案のヘーズコンピュータの実施例１の正面図である。
【図３】本考案のヘーズコンピュータの実施例１の左側面図である。
【符号の説明】
【００２３】
　１　光源
　２　シャッター
　３　ピンホール
　４　コリメーターレンズ
　５　反射鏡
　６　試料載置台
　７　試料
　８　積分球
　９　入口開口
　１０　出口開口
　１１　ライトトラップ
　１２　受光器
　１３　白板
　１４　補償開口
　１５　ヘーズコンピュータ
【図１】
0003100120.tif 000003
【図２】
0003100120.tif 000004
【図３】
0003100120.tif 000005